(57)【特許請求の範囲】
【請求項１】
液密に区画された二つの液体収容室を有し、これら各液体収容室には各別にポンプを配設し、各ポンプは、各ポンプにそれぞれ設けた上下動可能な駆動ヘッドと、各駆動ヘッドにそれぞれ設けた吐出ノズルを備え、前記各駆動ヘッドの上下動に応じてその駆動ヘッドに設けた前記吐出ノズルから液体収容室内の液体を吐出すべくなし、前記各駆動ヘッドの上面中央部分にまで及ぶよう掛け渡して係合するよう作動アームを設けるとともに、この作動アームを上下動可能となし、前記作動アームは、前記各駆動ヘッドの方向に傾動可能に設けた支持軸で支持し、前記作動アームの中央を押し下げると二つの駆動ヘッドが同時に下降する一方、前記作動アームの一端側を押し下げると対応する駆動ヘッドのみが下降するよう構成したことを特徴とする液体吐出容器。
【請求項２】
前記請求項１の構成において、各吐出ノズルは駆動ヘッドに対して着脱可能に設け、吐出口径の異なる吐出ノズルと交換可能に設けたことを特徴とする液体吐出容器。
【発明の詳細な説明】
【技術分野】
【０００１】
本発明は、化粧料などの各種液体を適量ずつ排出するポンプを備えた液体吐出容器に関する。
【背景技術】
【０００２】
従来のこの種容器は、化粧品やシャンプーの容器として使用されているが、液体の収容室は一つしか有しないのが一般的である（特許文献１）。このため、例えば化粧品の容器として使用する場合は、一つの容器に一つの化粧品しか収容できないので、使用する化粧品の種類と同数の容器が必要となり、家庭内で使用する場合は問題ないが、携帯用としては常に複数の容器を持ち歩かなければならないため、極めて不便であった。
【０００３】
この不便さを解消するために、従来においては、２つに区画された収容部を有する収容ケースに、異なる液体を収容した２つの収容袋を前記収容部にそれぞれ収容し、２つのポンプユニットの各チューブを前記収容袋に突き刺して、前記ポンプユニットを同時に操作して、同時に２種類の液体を取り出すことが提案されている（特許文献２）。
【先行技術文献】
【特許文献】
【０００４】
【特許文献１】特開２００３−１３７３２９号公報
【特許文献２】特開２００７−３０８１８１号公報
【発明の概要】
【発明が解決しようとする課題】
【０００５】
しかしながら、上述した２つの収容袋を用いる構成では、液体の収容量を増すためには収容袋を容量の大きなものにしなければならず、収容袋を収容するケースはさらに大きくなってしまい、携帯用としては使い勝手が悪いという不都合がある。本発明は、この不都合を解消し、収容袋を用いないことで、ケース内に収容する複数種類の液体の量を増してもケースの大きさにはさほど影響しないとともに、使い勝手のよい液体吐出容器を提供することを目的とする。
【課題を解決するための手段】
【０００６】
この目的を達成するため本発明の請求項１に係る液体吐出容器は、液密に区画された二つの液体収容室を有し、これら各液体収容室には各別にポンプを配設し、各ポンプは、各ポンプにそれぞれ設けた上下動可能な駆動ヘッドと、各駆動ヘッドにそれぞれ設けた吐出ノズルを備え、前記各駆動ヘッドの上下動に応じてその駆動ヘッドに設けた前記吐出ノズルから液体収容室内の液体を吐出すべくなし、前記各駆動ヘッドの上面中央部分にまで及ぶよう掛け渡して係合するよう作動アームを設けるとともに、この作動アームを上下動可能となし、前記作動アームは、前記各駆動ヘッドの方向に傾動可能に設けた支持軸で支持し、前記作動アームの中央を押し下げると二つの駆動ヘッドが同時に下降する一方、前記作動アームの一端側を押し下げると対応する駆動ヘッドのみが下降するよう構成したものである。
【０００７】
また、同じく前記目的を達成するために、本発明の請求項２に係る液体吐出容器は、前記請求項１の構成において、各吐出ノズルは駆動ヘッドに対して着脱可能に設け、吐出口径の異なる吐出ノズルと交換可能に設けたものである。
【０００８】
【０００９】
【００１０】
【発明の効果】
【００１１】
本発明の請求項１に係る液体吐出容器によれば、一つの容器から複数種の液体を同時に、あるいは各別に、選択的に吐出できるので、複数の容器を持ち歩く必要がないため、携帯用容器として最適であるとともに使い勝手がよいほか、一つの容器から複数種の液体を同時に、あるいは各別に、選択的に吐出する動作を、容器を保持する一方の手のみを用いて極めて簡単に、かつ確実になしうるという効果を奏する。
【００１２】
また、本発明の請求項２に係る液体吐出容器によれば、前記請求項１の効果に加えて、収容した液体の粘度に応じた大きさの吐出口径を有する吐出ノズルを装着することができるので、収容した液体の粘度の如何に拘らず常に確実で円滑な吐出動作がなされるという効果を奏する。
【００１３】
【００１４】
【図面の簡単な説明】
【００１５】
【図１】本発明の一参考例の中央縦断正面図。
【図２】同じく中央縦断側面図。
【図３】同じくカバーを外した状態の正面図。
【図４】同じく駆動ヘッド及び吐出ノズルの縦断側面図。
【図５】吐出ノズルの他の参考例を示す部分横断平面図。
【図６】同じく吐出ノズルを装着する駆動ヘッドの正面図。
【図７】同じく吐出ノズルを装着した駆動ヘッドの底面図。
【図８】液体収容室を三つ備える参考例を示す中央縦断正面図。
【図９】同じくカバーを外した状態の平面図。
【図１０】本発明の実施形態のカバーを外した状態の中央縦断正面図。
【図１１】同じく正面図。
【図１２】さらに他の参考例の作動アームと駆動ヘッドの関係を示す中央縦断正面図。
【図１３】同じく平面図。
【発明を実施するための形態】
【００１６】
以下、本発明の一参考例について説明すると、図１〜図３に示すように、液体吐出容器１は、ほぼ円筒状で上部が小径化された容器本体１０を備え、この容器本体１０は隔壁１１によって液密に区画された二つの液体収容室１２ａ，１２ｂを有している。前記容器本体１０の開口底面は底蓋１３によって液密に閉塞され、前記容器本体１０の小径部分には、上面に設置されたパッキン１４を介して液密にポンプ取付体１５が装着されている。また、前記ポンプ取付体１５には、カバー１６が着脱可能に嵌合されている。
【００１７】
ポンプ取付体１５の上面には各液体収容室１２ａ，１２ｂに対応して取付筒１５ａ，１５ｂが突設され、各取付筒１５ａ，１５ｂにそれぞれ各液体収容室１２ａ，１２ｂに充填された液体を適量ずつ、液体吐出容器１外に排出するポンプ２０ａ，２０ｂが取り付け固定されている。これらポンプ２０ａ，２０ｂの上端に位置する昇降筒２１ａ，２１ｂには、駆動ヘッド３０の嵌合筒３１ａ，３１ｂが嵌合されている。前記駆動ヘッド３０の外周面下端は、ポンプ取付体１５の上面に一体的に立設された環状の案内壁１７の内周面と当接している。
【００１８】
また、図１及び図２に示すように、前記駆動ヘッド３０には天板内面から垂下する前後一対の規制板３２ａ，３２ｂを一体的に突設し、各規制板３２ａ，３２ｂは、前記駆動ヘッド３０が待機状態（図示状態）から下降するとポンプ取付体１５の上面に立設した同じく前後一対のガイド板３３ａ，３３ｂと摺接するよう形成されている。前記各規制板３２ａ，３２ｂ及び各ガイド板３３ａ，３３ｂによって規制機構を構成する。
【００１９】
図２及び図４に示すように、駆動ヘッド３０の嵌合筒３１ａ，３１ｂに連通する取付筒３４（嵌合筒３１ａ側のみ図示）には、吐出ノズル４０ａ，４０ｂを挿脱可能に取り付けている。すなわち、これらの吐出ノズル４０ａ，４０ｂは、各別に交換可能であり、各液体収容室１２ａ，１２ｂに収容する液体の粘度に応じて、適切な口径を有するものを選択して使用される。
【００２０】
ここで、ポンプ２０ａ，２０ｂの構成について、図１に基づき詳細に説明するが、各ポンプは同一構成なので、ポンプ２０ａについてのみ説明し、ポンプ２０ｂについては対応する構成要素にａをｂに換えた符号を付するに止める。昇降筒２１ａは取付筒１５ａに昇降可能に支持され、下部は肉薄となって段部が形成され、この段部下面と環状のバケット２２ａとの間に配設されたコイルバネ２３ａによって上方に弾発付勢される一方、昇降筒２１ａの前記段部上面が取付筒１５ａの上端内周突縁下面に係合し、上昇方向への移動を規制している。
【００２１】
バケット２２ａはほぼ円筒状のハウジング２４ａの上端大径部分内に配置された作動棒２５ａの突縁部上に配置されて、昇降筒２１ａが下降するとコイルバネ２３ａによって下方に弾発付勢され、前記作動棒２５ａも前記バケット２２ａを介して前記コイルバネ２３ａによって下方に弾発付勢される。また、前記ハウジング２４ａの上端は前記取付筒１５ａに嵌合固定され、前記ハウジング２４ａの下部内面には弁座２６ａが設けられ、この弁座２６ａにはボール弁２７ａが配置されている。
【００２２】
ハウジング２４ａの弁座２６ａよりも下端部分には導入パイプ２８ａの上端が嵌合固定され、この導入パイプ２８ａの下端は底蓋１３に近接して位置する。ボール弁２７ａと作動棒２５ａの突縁部下面との間にはコイルバネ２９ａが配設され、図１に示す待機状態時には、前記ボール弁２７ａを下方に弾発付勢し、前記作動棒２５ａを上方に弾発付勢している。このコイルバネ２９ａの弾発付勢力はコイルバネ２３ａの弾発付勢力よりは弱く設定されており、前記ボール弁２７ａは図１に示す待機状態時には閉塞状態に維持される。
【００２３】
続いて、上述した参考例の動作を説明する。液体収容室１２ａ，１２ｂ内に異なった種類の液体（図示せず）が充満している使用初期の待機状態において（図１参照）、カバー１６を外して駆動ヘッド３０を押し下げると、各昇降筒２１ａ，２１ｂも下降し、各バケット２２ａ，２２ｂ及び各作動棒２５ａ，２５ｂもコイルバネ２３ａ，２３ｂの弾発付勢力によって下降する。この際、各規制板３２ａ，３２ｂは対応する各ガイド板３３ａ，３３ｂと摺接して前記駆動ヘッド３０が前後にぶれずに垂直に移動するようガイドするので、前記駆動ヘッド３０は垂直に押し下げられ、この押し下げ量に応じて前記各昇降筒２１ａ，２１ｂは偏りなく同一距離下降する。
【００２４】
これによって、各昇降筒２１ａ，２１ｂ内の圧力が高まるとともに、ハウジング２４ａ，２４ｂ内における作動棒２５ａ，２５ｂの突縁部から下の空間の圧力が高まり、この圧力によって前記作動棒２５ａ，２５ｂの突縁部から下の空間の液体は前記突縁部から上の空間にバケット２２ａ，２２ｂとハウジング２４ａ，２４ｂとの空隙を通って移動し始める。
【００２５】
さらに、駆動ヘッド３０を押し下げて、嵌合筒３１ａ，３１ｂの下端が取付筒１５ａ，１５ｂの上端面と接する最下降位置まで達すると、下降が阻止される。この状態でハウジング２４ａ，２４ｂ内の液体への圧力は最大となり、昇降筒２１ａ，２１ｂ内の液体とともに、吐出ノズル４０ａ、４０ｂから吐出される。
【００２６】
ここで、駆動ヘッド３０に加えていた押し下げ力を解除すると、各コイルバネ２３ａ，２３ｂ，２９ａ，２９ｂの弾発力で原位置に復帰し、待機状態となる。この時、各ハウジング２４ａ，２４ｂ内の圧力は液体収容室１２ａ．１２ｂの圧力よりも小さくなり、各ボール弁２９ａ，２９ｂが開放状態となり、各ハウジング２４ａ，２４ｂ内に液体収容室１２ａ．１２ｂの液体が導入パイプ２８ａ，２８ｂから流入し、次の動作に備える状態となる。
【００２７】
続いて、本発明の吐出ノズルに関する第２の参考例を図５〜図７に基づいて説明する。図５に示すように、一対の吐出ノズル５０ａ，５０ｂが連結材５１によって一体的に連結されている。連結材５１の背面側には一対の係止爪５２ａ，５２ｂが設けられ、これら係止爪５２ａ，５２ｂは互いの接近方向への変位と、原位置への弾発復帰が可能である。一方、図６に示すように、駆動ヘッド５３には、各吐出ノズル５０ａ，５０ｂを着脱可能に取り付ける取付筒５４ａ，５４ｂが設けられるとともに、前記係止爪５２ａ，５２ｂが挿脱可能に挿入係止される係止孔５５が設けられている。
【００２８】
本参考例においては、係止爪５２ａ，５２ｂを互いの接近方向にすぼめた状態で係止孔５５に対応位置させるとともに、各吐出ノズル５０ａ，５０ｂを取付筒５４ａ，５４ｂに対応位置させて、押し込むことによって、連結材５１の背面側が駆動ヘッド５３の前面平坦部に当接した状態で、各吐出ノズル５０ａ，５０ｂを取付筒５４ａ，５４ｂに取り付けることができる（図７参照）。この取付状態においては、前記係止爪５２ａ，５２ｂは原位置に弾発復帰して、係止孔５５から抜け出るのを阻止している。一方、所定以上の力で各吐出ノズル５０ａ，５０ｂを引き抜くと、係止爪５２ａ，５２ｂは互いの接近方向にすぼまった状態となって係止孔５５から離脱し、各吐出ノズル５０ａ，５０ｂも同時に取付筒５４ａ，５４ｂから離脱することができる。
【００２９】
続いて、本発明の第３の参考例である液体収容室を三つ備える参考例について図８及び図９に基づいて説明する。図８に示すように、液体吐出容器２は、ほぼ円筒状で上部が小径化された容器本体６０を備え、この容器本体６０は、ほぼ１２０度の中心角を存して設けた三つの隔壁６１（一つのみ図示）によって液密に区画された三つの液体収容室６２（一つのみ図示）を有している。前記容器本体６０の開口底面は底蓋６３によって液密に閉塞され、前記容器本体６０の小径部分には、上面に設置されたパッキン６４を介して液密にポンプ取付体６５が装着されている。また、前記ポンプ取付体６５には、カバー６６が着脱可能に嵌合されている。
【００３０】
ポンプ取付体６５の上面には各液体収容室６２に対応してそれぞれ取付筒６５ａ（一つのみ図示）が突設され、各取付筒６５ａは前記ポンプ取付体６５の上面に突設された周壁６７と三叉状の隔壁６８によって区画された部分に設置されている。なお、前記各隔壁６８は、各隔壁６１とそれぞれ対応位置している。前記各取付筒６５ａにはそれぞれ各液体収容室６２に充填された液体を適量ずつ、液体吐出容器２外に排出するポンプ７０（一つのみ図示）が取り付け固定されている。これらポンプ７０の構成は上述した各ポンプ２０ａ，２０ｂと同一であるから、その説明は省略する。
【００３１】
各ポンプ７０の昇降筒７１には、駆動ヘッド８０ａ，８０ｂ，８０ｃの嵌合筒８１（駆動ヘッド８０ａについてのみ図示）が嵌合されている。これら駆動ヘッド８０ａ，８０ｂ，８０ｃは、平面形状がほぼ扇形で、中央部分に押し下げる際に指を掛ける凹部が形成されている。また、各駆動ヘッド８０ａ，８０ｂ，８０ｃには、それらの平面状に形成した前面上端部から突出するように、嵌合筒８１と連通する吐出ノズル８２ａ，８２ｂ，８２ｃが一体的に形成され、互いに水平方向にほぼ１２０度の間隔をおいて設置されている。
【００３２】
本参考例にあっては、カバー６６を外した状態で、吐出を望む液体を収容している液体収容室６２に対応する駆動ヘッド８０ａ，８０ｂ，８０ｃを押し下げると、上述した各ポンプ２０ａ，２０ｂの動作と同様に、押し下げた駆動ヘッド８０ａ，８０ｂ，８０ｃに対応するポンプ７０が動作し、その吐出ノズル８２ａ，８２ｂ，８２ｃから所望の液体を吐出させることができる。
【００３３】
本参考例にあっては、複数の駆動ヘッド８０ａ，８０ｂ，８０ｃを同時に押し下げることも可能であるが、各吐出ノズル８２ａ，８２ｂ，８２ｃからの液体の吐出方向が１２０度ずつ間隔をおいたものとなるので、これを同一容器や掌で受けることは困難であり、実際には各別に動作させることになる。また、本参考例においては、各吐出ノズル８２ａ，８２ｂ，８２ｃは対応する各駆動ヘッド８０ａ，８０ｂ，８０ｃに一体的に設けられているので、口径の異なるものに交換することはできない。
【００３４】
続いて、本発明の実施形態を図１０及び図１１に基づいて説明する。本実施形態が図１〜図４に示す第１の参考例と異なるのは、駆動ヘッドを各ポンプ毎に各別に設けて、作動アームを両駆動ヘッドの中央部分まで及ぶよう掛け渡して設けたところにある。図１０及び図１１に示すように、液体吐出容器３は、容器本体９０内を隔壁９１で液密に区画してなる二つの液体収容室９２ａ，９２ｂを有し、ポンプ取付体９３の取付筒９３ａ，９３ｂが周縁部に離れて位置し、その間にはこれら取付筒９３ａ，９３ｂよりも上方に突出する支持筒９４が一体的に設けられている。
【００３５】
一方、駆動ヘッド９５ａ，９５ｂは、各取付筒９３ａ，９３ｂにそれぞれ取り付け固定されたポンプ９６ａ，９６ｂ毎に設けられている。前記各駆動ヘッド９５ａ，９５ｂの上面には、その中央部分にまで及ぶよう作動アーム９７が掛け渡され、この作動アーム９７は支持軸９８によって支持筒９４に支持されている。前記支持軸９８は、合成樹脂製等の可撓性を有する材質からなるとともに、前記支持筒９４から突出している部分の前記各駆動ヘッド９５ａ，９５ｂ側の面が切除された肉薄状に形成されている。このため、前記支持軸９８は前記各駆動ヘッド９５ａ，９５ｂの方向に容易に傾動可能となっている。また、前記各駆動ヘッド９５ａ，９５ｂには吐出ノズル９９ａ，９９ｂが一体的に設けられるとともに、互いの接近方向に向けて伸びている。その他の構成は第１の参考例と同様であるからその説明は省略する。
【００３６】
本実施形態においては、作動アーム９７の中央を押し下げると二つの駆動ヘッド９５ａ，９５ｂが同時に下降して、各ポンプ９６ａ，９６ｂが作動し、各液体収容室９２ａ，９２ｂ内の液体がそれぞれ吐出ノズル９９ａ，９９ｂから互いに接近する方向に向けて吐出する。したがって、掌など狭い部分でも確実に二種類の液体を受けることができる。一方、作動アーム９７の一端側、例えば駆動ヘッド９５ｂに対応する側を押し下げると、前記対応する駆動ヘッド９５ｂのみが下降し、液体収容室９２ｂ内の液体のみが吐出ノズル９９ｂから吐出する。
【００３７】
本実施形態にあっては、二種類の液体を同量吐出させたい場合や、所定の割合で吐出させたい場合に、一方の液体の量が少ないときは、この少ない液体の液体収容室９２ａ，９２ｂに対応する駆動ヘッド９５ａ，９５ｂ側の作動アーム９７の一端側を押し下げると、所望の液体のみが吐出するので、液量の調節が容易である。また、前記作動アーム９７の一端側の押し下げは、液体吐出容器３を保持している手の指を使ってできるので、他方の手の掌に液体を吐出してこの手が使えない状態でも支障なく再度液体の吐出を行なうことができる。
【００３８】
続いて、本発明の第４の参考例を図１２及び図１３に基づいて説明する。本参考例が上述した本発明の実施形態と異なるのは、作動アームを両駆動ヘッドの対向する縁部に係合するよう設けて、作動アームによらず各別に駆動ヘッドを押し下げ可能にしたところにある。他の構成及び動作は、上述の実施形態と同様であるから、作動アームと駆動ヘッド以外の説明は省略する。
【００３９】
駆動ヘッド１０５ａ，１０５ｂは、ポンプ取付体１０３の各取付筒１０３ａ，１０３ｂにそれぞれ取り付け固定された各ポンプ（図示せず）毎に設けられている。前記各駆動ヘッド１０５ａ，１０５ｂの対向する縁部上面には、平面長方形状の凹入段部１０６ａ，１０６ｂが形成され、これら凹入段部１０６ａ，１０６ｂに作動アーム１０７が係合載置されている。この作動アーム１０７の支持軸１０８は丸棒状で、支持筒１０４に上下動可能に支持されている。また、前記各駆動ヘッド１０５ａ，１０５ｂには図示していない吐出ノズルが一体的に設けられるとともに、互いの接近方向に向けて伸びている。
【００４０】
本参考例においては、作動アーム１０７を押し下げると二つの駆動ヘッド１０５ａ，１０５ｂが同時に下降して、図示していない各ポンプが作動し、図示していない各液体収容室内の液体が、同じく図示していない吐出ノズルから互いに接近する方向に向けて吐出する。したがって、掌など狭い部分でも確実に二種類の液体を受けることができる。一方、作動アーム１０７には触れずに駆動ヘッド、例えば駆動ヘッド１０５ｂを押し下げると、前記駆動ヘッド１０５ｂのみが下降する。そして、この駆動ヘッド１０５ｂに設けた図示していない吐出ノズルから、対応する同じく図示していない液体収容室内の液体のみが吐出する。
【００４１】
本参考例にあっては、上述した本発明の実施形態と同様に、二種類の液体を同量吐出させたい場合や、所定の割合で吐出させたい場合に、一方の液体の量が少ないときは、この少ない液体の液体収容室に対応する駆動ヘッド１０５ａ，１０５ｂのみを押し下げると、所望の液体のみが吐出するので、液量の調節が容易である。また、前記各駆動ヘッド１０５ａ，１０５ｂの押し下げは、液体吐出容器を保持している手の指を使ってできるので、他方の手の掌に液体を吐出してこの手が使えない状態でも支障なく再度液体の吐出を行なうことができる。
【００４２】
なお、本発明は、上述した実施形態に限定されるものではなく、例えば、各吐出ノズル９９ａ，９９ｂを駆動ヘッド９５ａ，９５ｂに対して着脱可能に構成することもできる。さらに、ポンプ９６ａ，９６ｂの構成も上述のものに限定されない。
【００４３】
またさらに、支持軸９８を回転可能に支持して、作動アーム９７を回転可能とし、これを９０度回転することで、作動アーム９７の各駆動ヘッド９５ａ，９５ｂへの掛け渡し係合状態を解除するよう構成し、解除状態において、各駆動ヘッド９５ａ，９５ｂを各別に直接押し下げるよう構成することもできる。
【符号の説明】
【００４４】
１，２，３      液体吐出容器
１０，６０，９０      容器本体
１１，６１，９１      隔壁
１２ａ，１２ｂ，６２，９２ａ，９２ｂ      液体収容室
１３，６３      底蓋
１４，６４      パッキン
１５，６５，９３，１０３      ポンプ取付体
１５ａ，１５ｂ，６５ａ，９３ａ，９３ｂ，１０３ａ，１０３ｂ      取付筒
２０ａ，２０ｂ，７０，９６ａ，９６ｂ      ポンプ
２１ａ，２１ｂ，７１      昇降筒
２２ａ，２２ｂ      バケット
２３ａ，２３ｂ，２９ａ，２９ｂ      コイルスプリング
２４ａ，２４ｂ      ハウジング
２５ａ，２５ｂ      作動棒
２７ａ，２７ｂ      ボール弁
２８ａ，２８ｂ      導入パイプ
３０，５３，８０ａ，８０ｂ，８０ｃ，９５ａ，９５ｂ，１０５ａ，１０５ｂ      駆動ヘッド
３１ａ，３１ｂ，８１      嵌合筒
３２ａ，３２ｂ      規制板
３３ａ，３３ｂ      ガイド板
４０ａ，４０ｂ，５０ａ，５０ｂ，８２ａ，８２ｂ，８２ｃ，９９ａ，９９ｂ      吐出ノズル
５２ａ，５２ｂ      係止爪
９４，１０４      支持筒
９７，１０７      作動アーム
９８，１０８      支持軸
１０６ａ，１０６ｂ      凹入段部
【図１】
0005868678.tif 000002
【図２】
0005868678.tif 000003
【図３】
0005868678.tif 000004
【図４】
0005868678.tif 000005
【図５】
0005868678.tif 000006
【図６】
0005868678.tif 000007
【図７】
0005868678.tif 000008
【図８】
0005868678.tif 000009
【図９】
0005868678.tif 000010
【図１０】
0005868678.tif 000011
【図１１】
0005868678.tif 000012
【図１２】
0005868678.tif 000013
【図１３】
0005868678.tif 000014